(57)【要約】      （修正有）【課題】器体に設けられるプラグの汎用が可能なライティングレールに取り付けられる照明装置を提供する。【解決手段】照明装置１は、弾性復帰可能に本体部の端面３８ｃから突出するストッパー部４１を有し、本体部が回転軸となって回転することにより、ストッパー部４１がライティングレール内に挿入されるプラグ５と、ストッパー部４１をライティングレールの外側に移動させる解除体と、操作レバー６０の移動操作によりプラグ５を回転させる回転体と、蓋部９にプラグ５を取り付けている器体３と、器体３の底部１０側に取り付けられた光源を有する装置本体４と、を具備する。【選択図】図４
2015088360.tif 000002
【特許請求の範囲】
【請求項１】
柱状の本体部と、この本体部の一端側の端面から突出するように設けられ、外部から加えられる力により前記端面から突出しないように前記本体部の他端側にスライドし前記力の解除により当初の位置に弾性復帰するストッパー部とを有し、前記本体部が回転軸となって回転することにより、前記ストッパー部がライティングレール内に挿入されるプラグと；  前記ストッパー部に当接して外部からの力を加えて前記ストッパー部を前記ライティングレール外に移動させる解除体と；  操作レバーを有し、この操作レバーの押下操作により前記解除体に前記外部からの力を加えるとともに、前記操作レバーの移動操作により前記本体部を回転軸として前記プラグを回転させる回転体と；  蓋部およびこの蓋部に対向する底部を有する箱状に形成され、前記プラグ、前記解除体および前記回転体を収納しているとともに、前記蓋部の外面から前記本体部の一端側の端面が突出するように前記蓋部に前記プラグを取り付けている器体と；  この器体の前記底部側に取り付けられた光源を有する装置本体と；を具備していることを特徴とする照明装置。
【請求項２】
前記蓋部は、平板部、この平板部の外面の内方側に前記平板部と一体に設けられた平板状の段部およびこの段部の側部側に設けられた矩形状の開口を有して形成され、前記プラグは、前記本体部の一端側の端面が前記段部の外面から突出するように前記段部に取り付けられ、前記回転体は、前記操作レバーが前記開口から前記平板部の外面上に導出されて前記開口の長手方向で移動操作されるとともに前記段部の外面側から前記平板部の外面側の方向に押下操作されるように設けられていることを特徴とする請求項１記載の照明装置。
【発明の詳細な説明】
【技術分野】
【０００１】
本発明の実施形態は、ライティングレールに着脱可能に取り付けられる照明装置に関する。
【背景技術】
【０００２】
この種の照明装置は、例えば天井面に設置されたライティングレールに電気的かつ機械的に接続されるプラグを有しており、例えばペンダント式の照明装置が知られている。この照明装置は、電源コードの先端部にプラグが設けられ、電源コードの後端部に光源を有する装置本体が設けられている（例えば特許文献１参照。）。  
【０００３】
また、ライティングレールに取り付けられる照明装置には、プラグが一体に設けられる器体（電源部）と、この器体の底部に取り付けられるアームと、このアームに回動可能に取り付けられる灯体（装置本体）とを有するものがある（例えば特許文献２参照。）。この照明装置は、灯体にＬＥＤなどの光源が設けられ、器体に光源を点灯する点灯装置が配設されている。  
【０００４】
そして、プラグは、回転軸として回転される本体部、この本体部の回転によってライティングレールの導電部に電気接続される一対の給電部およびライティングレールの被係止部に係止される係止部を有して形成されている。また、プラグは、ライティングレールに取り付けられた状態で、不所望に回転してライティングレールから取り外れないようにするために、回転阻止手段（ストッパー部）が設けられている。すなわち、照明装置は、プラグによりライティングレールに吊り下げられているので、プラグが地震や振動等の自然的な現象によって又は人為的ミスによって不所望に回転すると落下して危険である。  
【０００５】
また、プラグは、照明装置の全重量を支持するので、照明装置に応じた相応の耐久性が必要である。このため、プラグは、電気用品安全法の技術基準に適合する必要がある。すなわち、プラグは、電気用品安全法の特定電気用品以外の電気用品であり、登録検査機関で技術基準適合性検査を受け、適合性証明書の交付を受けて、ＰＳＥマークを表示する必要がある。
【先行技術文献】
【特許文献】
【０００６】
【特許文献１】特開２０１３−１４３２２９号公報（第５，６頁、第１図）
【特許文献２】特開２０１２−１８６０２９号公報（第４頁、第１図）
【発明の概要】
【発明が解決しようとする課題】
【０００７】
プラグは、電源コードを介して装置本体を吊り下げる照明装置に対しては、照明装置が吊り下げ荷重以下であれば、異なる複数種の照明装置に対して使用することができる。しかしながら、プラグが一体に器体に設けられる照明装置は、器体の底部側に取り付けられる灯体の種類や大きさなどにより、器体の大きさや形状などが異なるので、器体に応じてプラグを設ける必要があり、プラグを回転操作させる操作レバーなどを設ける必要がある。このため、器体の機種毎に、すなわち照明装置の機種毎に、プラグおよび器体に対する電気用品安全法の技術基準適合性検査を受け、適合性証明書の交付を受ける必要がある。これにより、照明装置の開発期間が長くなり、開発費用も大きくなって、照明装置がコストアップするという問題がある。  
【０００８】
本実施形態は、器体に設けられるプラグの汎用が可能なライティングレールに取り付けられる照明装置を提供することを目的とする。
【課題を解決するための手段】
【０００９】
本実施形態の照明装置は、プラグ、解除体、回転体、器体および装置本体を有して構成される。  
【００１０】
プラグは、本体部およびこの本体部に設けられたストッパー部を有して形成される。本体部は、柱状に形成されて、回転軸となって回転される。  
【００１１】
ストッパー部は、本体部の一端側の端面から突出するように設けられているとともに、外部から加えられる力により本体部の一端側の端面から突出しないように本体部の他端側にスライドし、外部から加えられる力の解除により当初の位置に弾性復帰するように設けられている。そして、ストッパー部は、本体部が回転軸となって回転することにより、ライティングレール内に挿入される。  
【００１２】
解除体は、プラグのストッパー部に当接して外部からの力を加えることにより、ストッパー部をライティングレール外に移動させる。回転体は、操作レバーを有している。そして、回転体は、操作レバーが押下操作されることにより、解除体に外部からの力を加える。また、操作レバーが移動操作されることにより、本体部を回転軸としてプラグを回転させる。  
【００１３】
器体は、蓋部および蓋部に対向する底部を有する箱状に形成され、プラグ、解除体および回転体を収納している。そして、器体は、蓋部の外面から本体部の一端側の端面が突出するように蓋部にプラグを取り付けている。装置本体は、光源を有しており、器体の底部側に取り付けられている。
【発明の効果】
【００１４】
本実施形態の照明装置によれば、回転体の操作レバーを移動操作することによってプラグの本体部が回転されて、ストッパー部がライティングレール内に挿入され、操作レバーを押下操作することによって解除体に外部からの力を加えてプラグのストッパー部をライティングレール外に移動させるので、プラグの吊り下げ荷重以下の荷重を有する照明装置に対して、その器体に応じて解除体および回転体を備えることにより、電気用品安全法の技術基準に適合するプラグが汎用して使用可能であることが期待できる。
【図面の簡単な説明】
【００１５】
【図１】本発明の実施形態を示す照明装置の下側から見た概略斜視図である。
【図２】同上、照明装置の上側から見た概略斜視図である。
【図３】同上、照明装置の概略上面図である。
【図４】同上、照明装置の蓋部を取り外した状態の上側から見た概略斜視図である。
【図５】同上、照明装置の下側から見た一部分解の概略斜視図である。
【図６】同上、蓋部の下側から見た概略斜視図である。
【図７】同上、プラグを示し、（ａ）は概略正面図、（ｂ）は概略側面図、（ｃ）は概略背面図である。
【図８】同上、プラグを示し、（ａ）は概略上面図、（ｂ）は概略下面図、（ｃ）はカバーを取り外した状態の概略背面図である。
【図９】同上、プラグと回転体および解除体との組み合わせを示す分解の概略斜視図である。
【図１０】同上、プラグのライティングレールへの取付けを示し、（ａ）は取付け前の概略断面図、（ｂ）は取付け後の概略断面図である。
【発明を実施するための形態】
【００１６】
以下、本発明の一実施の形態について、図面を参照して説明する。  
【００１７】
本実施形態の照明装置１は、図１または図２に示すように、ライティングレール２に取り付けられるスポットライトである。照明装置１は、図５に示すように、器体３、装置本体４、プラグ５、解除体６および回転体７を有して構成されている。  
【００１８】
器体３は、図４に示すように、器体本体部８および蓋部９を有してなる。器体本体部８は、比較的軽量である金属例えばアルミニウム（Ａｌ）からなり、例えばダイキャストにより、平板状の底部１０が一体に設けられた略長方形の箱状に形成されている。器体本体部８の長手方向の一方の側面８ａは、器体本体部８の短手方向で外側に小さく突出する円弧状面に形成されている。器体本体部８内の４隅には、ねじ孔１１を有するボス１２が設けられている。  
【００１９】
蓋部９は、例えばアルミダイキャストにより、それぞれ平板状の平板部１３および段部１４に形成されている。平板部１３は、略長方形に形成され、その長手方向の一方の端面１３ｃが器体本体部８の側面８ａに沿う円弧状面に形成されている。  
【００２０】
段部１４は、平板部１３と一体に設けられたものであり、平板部１３の上面１３ａに所定の高さとなるように外方に突出形成され、上面１４ａが平板部１３よりも小さい略長方形に形成されている。すなわち、段部１４は、平板部１３の上面１３ａの内方側に設けられている。そして、段部１４は、その長手方向両端側１４ｃ，１４ｄの側部１４ｅ，１４ｆに開口１５，１６が形成されている。開口１５は、正面視矩形状であって、平板部１３の端面１３ｃに沿う円弧状の形状に形成されている。また、段部１４の上面１４ａには、長手方向の一端側１４ｃにプラグ５が挿通される不図示の挿通孔が形成され、長手方向の他端側１４ｄに長方形の凹部１７が開口１６に臨むようにして比較的浅く形成されている。  
【００２１】
そして、平板部１３の４隅は、上面１３ａから浅く凹んだ段差部１８に形成されている。この段差部１８にねじの取付孔１９が形成されている。この取付孔１９を通したねじ２０（図２に示す。）が器体本体部８のねじ孔１１に完全にねじ込まれる。これにより、蓋部９は、器体本体部８内を閉塞するようにして器体本体部８に取り付けられる。そして、ねじ２０をねじ孔１１から取り外すことにより、蓋部９は、器体本体部８から取り外される。こうして、蓋部９は、ねじ２０により、器体本体部８に着脱可能に取り付けられている。蓋部９は、器体本体部８に取り付けられたときに、平板部１３の下面１３ｂが器体本体部８の底部１０と対向（正対）するものである。  
【００２２】
器体本体部８内には、後述する光源としてのＬＥＤ２５を点灯する点灯装置２１が収納されている。点灯装置２１は、基板２２およびこの基板２２に実装された不図示の電子部品などを有して形成されている。基板２２は、器体本体部８の底部１０に不図示の取付け手段により取り付けられている。  
【００２３】
点灯装置２１は、本実施形態では、ＬＥＤ２５に可変電流を供給するように形成されている。すなわち、点灯装置２１は、ＬＥＤ２５を調光可能に形成されている。例えば、ＬＥＤ２５を１００％（全光）、７０％、５０％、３０％に段調光できるように、または、０％（消灯）〜１００％間で連続調光できるように形成されている。そして、点灯装置２１は、当該調光を切換スイッチ２３の操作によって行うように形成されている。  
【００２４】
器体３の器体本体部８の長手方向の他方の側面８ｂには、底部１０と反対側の上端側８ｃに長方形の切り欠き部２４が形成されている。器体本体部８は、その両側面８ａ，８ｂが底部１０から反対側の上端側８ｃ（蓋部９側）に向かうにつれ、若干拡開するように形成されている。また、切り欠き部２４が上端側８ｃに設けられることにより、器体本体部８は、鋳造等により容易に形成可能となっている。  
【００２５】
そして、切換スイッチ２３は、切り欠き部２４内に設けられるようにして点灯装置２１に接続されている。また、切換スイッチ２３は、器体本体部８の側面８ｂから幾分外方に突出するように設けられている。切換スイッチ２３は、図１に示すように、器体３がライティングレール２に取り付けられたとき、手動で操作可能となっている。  
【００２６】
切換スイッチ２３は、器体３の短手方向で手動操作により移動（スライド）される。点灯装置２１は、切換スイッチ２３の切り欠き部２４内の位置に応じて、ＬＥＤ２５に供給する電流を変化させる。これにより、ＬＥＤ２５は、調光点灯される。そして、ＬＥＤ２５は、装置本体４内に設けられている。  
【００２７】
装置本体４は、光源としてのＬＥＤ２５、筐体２６および放熱器２７を有して形成されている。筐体２６および放熱器２７は、個別に例えばアルミダイキャストにより形成されているものであり、不図示のねじにより一体に結合されている。ＬＥＤ２５は、例えば白色光を放射するパッケージ品であり、不図示の円盤状の基板に実装されている。ＬＥＤ２５は、その複数個が基板に例えば同心円状に配置されている。  
【００２８】
筐体２６は、次第に径大する略円筒状に形成され、円形状の開口２８を有している。そして、筐体２６は、ＬＥＤ２５の放射光が開口２８から前方に出射するように、ＬＥＤ２５が実装された基板を収納している。当該基板の開口２８側には、ＬＥＤ２５に正対する不図示のレンズが形成された透光性の前面カバー２９が設けられている。前面カバー２９は、例えばポリカーボネート（ＰＣ）樹脂からなり、例えば射出成形により、有底の円筒体に形成されている。  
【００２９】
放熱器２７は、複数個の放熱フィン３０を有して形成されている。放熱フィン３０は、板状
であって、略三角形に形成されている。そして、放熱フィン３０は、図５に示すように、連結体３１を介してアーム３２に取り付けられている。  
【００３０】
アーム３２は、装置本体４を器体３から所定の位置に離すとともに器体３に対して０°〜３６０°回動させるものである。アーム３２は、一端側に回動部３３、他端側に垂直回転軸部３４，３４を有し、例えばアルミダイキャストにより剛体に形成されている。そして、回動部３３が器体３の底部１０に、底部１０に沿って０°〜３６０°回動可能に取り付けられ、垂直回転軸部３４，３４が連結体３１の軸部３５，３５（図５中、一方のみを示す。）に器体３に対して上下方向に回動可能に取り付けられている。こうして、装置本体４は、連結体３１およびアーム３２を介して器体３の底部１０側に取り付けられている。  
【００３１】
そして、点灯装置２１の不図示の出力線は、アーム３２内を通って連結体３１から放熱フィン３０，３０間に配線されて、筐体２６内のＬＥＤ２５に接続されている。ＬＥＤ２５は、点灯装置２１から電力が給電されて点灯する。  
【００３２】
プラグ５は、図６に示すように、回転体７および解除体６と組み合わせられて蓋部９の段部１４に取り付けられている。段部１４には、一対の取付け体３６，３６が垂下して設けられており、プラグ５は、ねじ３７，３７により一対の取付け体３６，３６に取り付けられている。  
【００３３】
プラグ５は、図７（ａ）に示すように、略円柱状の本体部３８、一対の給電部３９，３９、一対の係止部４０，４０およびストッパー部４１を有して形成されている。本体部３８は、図７（ｂ）に示すように、ベース部４２およびカバー部４３の２パーツからなり、これらが合体して形成されている。すなわち、図７（ｃ）に示すように、カバー部４３がねじ４４によりベース部４２に取り付けられている。ベース部４２内には、図８（ｃ）に示すように、ねじ４４がねじ込まれるねじ孔部４５が設けられている。ベース部４２およびカバー部４３は、それぞれ例えばポリカーボネート樹脂からなっている。  
【００３４】
そして、本体部３８の一端側３８ａの端面（上面）３８ｃには、本体部３８に連通する貫通孔４６を有する起立部４７が一体に設けられている。この起立部４７に、一対の係止部４０，４０が互いに反対方向となるように設けられている。また、一対の係止部４０，４０は、端面３８ｃと等間隔となり、かつ端面３８ｃの内側に位置するように設けられているともに、ライティングレール２の後述する被係止部５４，５４を挟み込み可能に形成されている。一対の係止部４０，４０が設けられる方向は、ベース４２とカバー部４３とが合わされる合体面ＡＺに沿う方向となっている。  
【００３５】
また、起立部４７には、貫通孔４６に通した一対の給電部３９，３９が設けられている。一対の給電部３９，３９は、例えば板厚０．６ｍｍに形成されたリン青銅からなり、起立部４７の上面４７ａにおいて一対の係止部４０，４０と同方向で互いに反対方向となるように設けられている。また、一対の給電部３９，３９は、本体部３８内において、四角形状の端子３９ａ，３９ａを形成しており、この端子３９ａ，３９ａに端子ねじ４８，４８により不図示の電源線を接続している。貫通孔４６の一対の給電部３９，３９間は、図８（ａ）に示すように、閉塞体４９により略閉塞されている。  
【００３６】
また、本体部３８は、図８（ｃ）に示すように、その他端側３８ｂの端面３８ｄに本体部３８内に連通する貫通孔５０が形成されており、この貫通孔５０に平ナット５１が嵌入されて取り付けられている。貫通孔５０および平ナット５１は、図８（ｂ）に示すように、端面３８ｄの中心部に設けられている。平ナット５１は、例えば鋼板からなり、Ｍ１２の雌ねじを有している。  
【００３７】
こうして、本体部３８は、その一端側３８ａの端面３８ｃ側に互いに反対方向となるように一対の給電部３９，３９が設けられ、一対の給電部３９，３９と同方向となるように端面３８ｃと一対の給電部３９，３９との間に一対の係止部４０，４０が設けられている。そして、ストッパー部４１は、図７（ｂ）に示すように、本体部３８のベース部４２に設けられている。  
【００３８】
ストッパー部４１は、図７（ａ）に示すように、一対の給電部３９，３９および一対の係止部４０，４０の中間において、これらが設けられる方向と直交する方向の本体部３８の外周面３８ｅ側に一端側３８ａから他端側３８ｂに至る柱体に形成されている。そして、図７（ｂ）に示すように、ストッパー部４１の一端側４１ａの端面４１ｃは、本体部３８の一端側３８ａの端面３８ｃから突出するように設けられ、この突出分、他端側４１ｂの端面４１ｄが本体部３８の他端側３８ｂの端面３８ｄよりも本体部３８の一端側３８ａ側に凹んでいる。すなわち、ストッパー部４１の端面４１ｃ，４１ｄ間は、本体部３８の端面３８ｃ，３８ｄ間とほぼ同等となっている。  
【００３９】
また、ストパー部４１は、本体部３８内に設けた不図示の弾性体例えばばねにより、その端面４１ｃが本体部３８の端面３８ｃより突出するように設けられている。そして、ストパー部４１は、一端側４１ａ側から他端側４１ｂの方向に向かう外部からの力が加わると、一端側４１ａの端面４１ｃが本体部３８の端面３８ｃから突出しないように、本実施形態では端面４１ｃが端面３８ｃと同一面状となるように本体部３８の他端側３８ｂにスライド（移動）する。そして、外部から加えられる力が解除されると、当初の位置に弾性復帰し、一端側４１ａの端面４１ｃが本体部３８の端面３８ｃから突出する。  
【００４０】
ストッパー部４１の外面４１ｅには、ストッパー部４１に力を加えてストッパー部４１をスライドさせる際に指の滑りを防止する複数個の突起５２が設けられている。指でのストッパー部４１のスライドは、ペンダント式の照明器具などのプラグ５全体が外部空間に露出しているものに対して行われる。本実施形態では、ストッパー部４１には、解除体６を介して外部からの力が加えられる。  
【００４１】
プラグ５は、図１０（ａ）に示すように、一対の給電部３９，３９および一対の係止部４０，４０がライティングレール２のレール溝５３に挿入される。このとき、ストッパー部４１は、その端面４１ｃがライティングレール２の下面２ｂに当接してライティングレール２から力が加わることにより、本体部３８の他端側３８ｂにスライドし、端面４１ｃが本体部３８の端面３８ｃとほぼ同一面状となる。この状態で、プラグ５は、９０°回転される。  
【００４２】
プラグ５は、本体部３８が回転軸となって９０°回転し、一対の給電部３９，３９および一対の係止部４０，４０もレール溝５３内で９０°回転する。これにより、図１０（ｂ）に示すように、一対の係止部４０，４０がライティングレール２の被係止部としての係止レール部５４，５４に係止し、一対の給電部３９，３９が導電レール部５５，５５に電気接続する。また、ストッパー部４１は、本体部３８の９０°の回転により、レール溝５３に位置し、ライティングレール２からの力が加わらなくなる。ストッパー部４１は、当初の位置に弾性復帰し、端面４１ｃが本体部３８の端面３８ｃから突出する。こうして、プラグ５は、ライティングレール２に取り付けられるとともに電気接続される。  
【００４３】
本実施形態のプラグ５は、電気用品安全法の技術基準に適合し、登録検査機関から適合性証明書の交付を受けているものであり、例えば５ｋｇまでの装置本体４等の荷重に対して使用可能となっている。  
【００４４】
そして、プラグ５は、図４に示すように、本体部３８の一端側３８ａの端面３８ｃが蓋部９の段部１４の外面１４ａから突出するようにして蓋部９に取り付けられている。また、プラグ５は、解除体６および回転体７を取り付けるようにして蓋部９に取り付けられている。プラグ５、解除体６および回転体７は、器体３に収納されている。  
【００４５】
図９において、解除体６は、例えばポリカーボネート樹脂からなり、解除本体部５６および解除レバー５７に形成され、これらが一体に形成されている。解除本体部５６は、所定の高さを有する略リング状に形成されている。解除レバー５７は、解除本体部５６の内面５６ｂ側に起立するように設けられている。解除レバー５７の先端側５７ａには、解除本体部５６の内側に向かって突出し、解除レバー５７に対して直角に設けられた係止爪５８が連設されている。  
【００４６】
回転体７は、例えばポリカーボネート樹脂からなり、回転本体部５９、操作レバー６０および引掛けレバー６１に形成され、これらが一体に形成されている。回転本体部５９は、解除体６の解除本体部５６の外径とほぼ同等の外径を有する略リング状に形成され、下部側を幾分小径にした環状段差部６２に形成している。回転本体部５９と環状段差部６２との段差６３は、解除体６の解除本体部５６の厚さとほぼ同等となっている。環状段差部６２には、回転本体部５９の内側に解除体６の解除レバー５７を通して解除本体部５６が嵌め込まれる。  
【００４７】
操作レバー６１は、回転本体部５９の外面５９ａから所定長突出するように設けられた棒状に形成され、先端側に指で掴むことのできる把持部６４を有している。引掛けレバー６１は、操作レバー６０と反対側の回転本体部５９の部位において、回転本体部５９の内面５９ｂから垂下するように設けられている。そして、引掛けレバー６１は、その幅方向が回転本体部５９の内面５９ｂに沿う円弧状に形成され、先端側６１ａの幅が幾分小さく形成されている。引掛けレバー６１は、解除体６が環状段差部６２に嵌め込まれるときに解除本体部５６の内側を通過する。  
【００４８】
プラグ５は、解除体６の解除レバー５７および回転体７の引掛けレバー６１の間に挿入されて、回転金具６５、取付け金具６６および固定用ねじ６７により、解除体６および回転体７と組み合わされる。回転金具６５は、プラグ５の端面３８ｄに面接触する平板状に形成され、引掛けレバー６１の先端側６１ａが通されるとともに引っ掛けられる切り欠き部６８および固定用ねじ６７を通す円形の通孔６９が設けられている。  
【００４９】
取付け金具６６は、平板状に形成され、引掛けレバー６１の先端側６１ａを通す案内孔７０、固定用ねじ６７を通す円形の通孔７１および取付け金具６６を蓋部９の取付け体３６，３６に取り付けるための取付け孔７２，７２が設けられている。案内孔７０は、回転体７の回転に応じて引掛けレバー６１の先端側６１ａが移動するように、円弧状に形成されている。  
【００５０】
そして、固定用ねじ６７は、例えばポリカーボネート樹脂からなり、六角形状の頭部７３、ワッシャー部７４、雄ねじ部７５および貫通孔７６を有して形成されている。ワッシャー部７４は、円形状であって、頭部７３および雄ねじ部７５間の大きさが取付け金具６６の板厚よりも若干大きくなるように形成されている。雄ねじ部７５は、プラグ５の平ナット５１にねじ込まれるＭ１２に形成されている。貫通孔７６は、プラグ５の本体部３８内において一対の給電部３９，３９に電気接続されている不図示の電源線を外部空間に導出している。なお、取付け金具６６の通孔７１は、ワッシャー部７４よりも若干大径に形成されている。  
【００５１】
プラグ５は、上述したように、器体３の蓋部９に取り付けられている。蓋部９は、図３に示すように、その段部１４にプラグ５を取り付けるための挿通孔７７および解除体６を取り付けるための切り欠き部７８が形成されている。挿通孔７７は、プラグ５の本体部３８の外径よりも若干大きい円形に形成されている。切り欠き部７８は、挿通孔７７から段部１４の側部１４ｅ側に切り欠きされて形成され、解除体６の解除レバー５７が嵌め込まれる略長方形に形成されている。  
【００５２】
プラグ５を蓋部９に取り付けるには、まず、回転体７の操作レバー６０を段部１４の側部１４ｅ側に設けられた開口１５から平板部１３の外面１３ａ上に導出させるようにして、回転体７を取付け体３６，３６の間に位置させる。そして、解除体６の解除レバー５７を切り欠き部７８に嵌め込むとともに、解除本体部５６を回転体
７の環状段差部６２に嵌め込む。この後、プラグ５を回転体７の引掛けレバー６１および解除体６の解除レバー５７の間に挿入し、ストッパー部４１の端面４１ｃを解除レバー５７の係止爪５８に当接させる。プラグ５は、挿通孔７７に挿入され、本体部３８の端面３８ｃが段部１４の上面１４ａ側に露出する。  
【００５３】
そして、回転体７の引掛けレバー６１の先端側６１ａを回転金具６５の切り欠き部６８および取付け金具６６の案内孔７０に通し、取付け金具６６をねじ３７，３７により蓋部９の取付け体３６，３６に完全に取り付ける。この後、本実施形態では、回転体７の操作レバー６０を開口１５の一端側１５ａに位置させる。ここで、回転体７および回転金具６５は、回転する。解除体６は、解除レバー５７が蓋部１４の切り欠き部７８に嵌め込まれているので、回転しない。回転体７は、環状段差部６２が解除体６の解除本体部５６に沿って回転する。また、取付け金具６６は、蓋部９の取付け体３６，３６に固定され、引掛けレバー６１の先端側６１ａが案内孔７０に沿って移動するので、回転しない。  
【００５４】
そして、固定用ねじ６７を取付け金具６６の通孔７１および回転金具６５の通孔６９を通して、頭部７３が取付け金具６６に近接するまで、プラグ５の端面３８ｄの平ナット５１にねじ込む。これにより、ワッシャー部７４が回転金具６５を押圧してプラグ５の端面３８ｄに密接させ、この密接によりプラグ５を押圧する。プラグ５のストッパー部４１は、その端面４１ｃに当接している解除レバー５７の係止爪５８を押圧し、解除体６は、回転体７の段差６３を介して回転体７を押圧する。これにより、図４に示すように、プラグ５は、その端面３８ｃが段部１４の上面１４ａから突出するように段部１４に取り付けられる。また、回転体７の操作レバー６０は、開口１５内において、平板部１３の上面１３ａおよび段部１４の上面１４ａ間の上面１４ａ側に位置する。また、操作レバー６０が開口１５の一端側１５ａに位置することにより、プラグ５の一対の給電部３９，３９および一対の係止部４０，４０が段部１４（蓋部９）の短手方向を向き、ストッパー部４１が解除体６の係止爪５８に位置して当接している。  
【００５５】
そして、操作レバー６０は、開口１５の一端側１５ａから他端側１５ｂの間で移動操作される。開口１５は、操作レバー６０が一端側１５ａから他端側１５ｂに移動操作されると、回転体７が９０°回転するように、一端側１５ａおよび他端側１５ｂの間が設定されている。ここで、９０°は、数学的や幾何学的な値を意味するものではなく、大体の値を意味する。  
【００５６】
操作レバー６０が開口１５の一端側１５ａから他端側１５ｂに移動されると、回転体７は、９０°回転する。解除レバー６１の先端側６１ａは、回転体７の回転に伴って取付け金具６６の案内孔７０を移動し、回転金具６５の切り欠き部６８を引っ掛けて回転金具６５を回転させる。回転金具６５が回転すると、回転金具６５に密接しているプラグ５は、回転金具６５およびプラグ５の端面３８ｄとの摩擦力により回転する。そして、操作レバー６０が開口１５の他端側１５ｂに位置すると、プラグ５の一対の給電部３９，３９および一対の係止部４０，４０は、段部１４（蓋部９）の長手方向を向くものである。  
【００５７】
また、プラグ５のストッパー部４１は、解除体６の係止爪５８に当接しなくなる。解除体６は、プラグ５の一端側３８ａから他端側３８ｂの方向に移動し、係止爪５８がプラグ５の端面３８ｃに当接する。すなわち、解除体６は、ストッパー部４１の端面４１ｃが本体部３８の端面３８ｃから突出している分、本体部３８の他端側３８ｂに移動（落下）する。この解除体６の移動に伴って回転体７も移動し、操作レバー６０は、開口１５の段部１４の上面１４ａ側から平板部１３の上面１３ａ側に位置するようになる。  
【００５８】
操作レバー６０が開口１５の他端側１５ｂに位置し、プラグ５の一対の給電部３９，３９および一対の係止部４０，４０が段部１４（蓋部９）の長手方向を向いているときに、図１０（ａ）に示すように、プラグ５は、一対の給電部３９，３９および一対の係止部４０，４０がライティングレール２のレール溝５３に挿入され、ストッパー部４１がライティングレール２の下面２ｂに当接されるものである。一方、操作レバー６０が開口１５の一端側１５ａに位置し、プラグ５の一対の給電部３９，３９および一対の係止部４０，４０が段部１４（蓋部９）の短手方向を向いているときに、図１０（ｂ）に示すように、プラグ５は、一対の給電部３９，３９がライティングレール２の導電レール部５５，５５に電気接続され、一対の係止部４０，４０がライティングレール２の係止レール部５４，５４に係止され、ストッパー部４１がライティングレール２のレール溝５３内に挿入されるものである。  
【００５９】
プラグ５は、ストッパー部４１がライティングレール２のレール溝５３内に挿入されていると、本体部３８の回転に対してストッパー部４１が係止レール部５４に当接し、当該回転が阻止される。すなわち、回転体７の操作レバー６０を開口１５の一端側１５ａから他端側１５ｂに移動操作させることができない。例え、操作レバー６０を回転金具６５とプラグ５の端面３８ｄとの摩擦力に打ち勝つ力で移動させても、プラグ５が回転することはない。したがって、プラグ５を回転させるには、ストッパー部４１をライティングレール２のレール溝５３外に移動させる必要がある。このため、本実施形態は、解除体６および回転体７を用いてストッパー部４１に外部からの力を加えて、ストッパー部４１の端面４１ｃが本体部３８の端面３８ｃよりも突出しないようにストッパー部４１を本体部３８の他端側３８ｂにスライド（移動）させる。  
【００６０】
開口１５において、操作レバー６０を段部１４の上面１４ａ側から平板部１３の上面１３ａ側に押下操作すると、この押下操作による外部からの力が回転体７に加わり、段差６３を介して解除体６に加わる。解除体６は、外部からの力によってプラグ５の他端側３８ｂに移動する。この解除体６の移動に伴って、解除体６の係止爪５８がプラグ５のストッパー部４１の端面４１ｃを押圧する。ストッパー部４１は、本体部３８の他端側３８ｂにスライドし、端面４１ｃが本体部３８の端面３８ｃと同一面状となる。この状態で、操作レバー６０を開口１５の一端側１５ａから他端側３８ｂに移動操作すると、プラグ５のストッパー部４１がライティングレール２の係止レール部５４に当接することがなく、プラグ５が９０°回転可能となる。  
【００６１】
なお、固定用ねじ６７は、ワッシャー部７４が取付け金具６６の通孔７１よりも若干小径に形成され、頭部７３が取付け金具６６に近接しているので、取付け金具６６に干渉することなく、プラグ５の回転に伴って回転する。そして、回転金具６５は、通孔６９に固定用ねじ６７の雄ねじ部７５が挿通しているので、雄ねじ部７５が仮想回転軸となることにより、ぶれることなく回転する。また、回転体７は、回転段差部６２が解除体６の解除本体部５６に沿って回転するので、操作レバー６０の移動操作によりぶれることなく回転する。  
【００６２】
こうして、プラグ５は、その本体部３８の一端側３８ａの端面３８ｃが蓋部９の段部１４の外面１４ａから突出するように段部１４に取り付けられ、回転体７は、その操作レバー６０が段部１４の側部１４ｅ側に設けられた開口１５から蓋部９の平板部１３の外面１３ａ上に導出されて、開口１５の一端側１５ａおよび他端側１５ｂの長手方向で移動操作されるとともに段部１４の外面１４ａ側から平板部１３の外面１３ａ側の方向に押下操作されるように設けられている。  
【００６３】
そして、本実施形態では、蓋部９は、段部１４の長手方向の他端側１４ｄに形成された凹部１７に補助係止体７９が設けられている。補助係止体７９は、図５に示すように、上面側に長方形の係止板８０および下面側に円柱状の回転軸８１を有する係止回動体８２と、操作棒８３を有する操作体８４とを有して形成されている。そして、係止回動体８２の回転軸８１を凹部１７に形成された取付け孔８５に挿通させて、ねじ８６およびナット８７により、操作体８４を回転軸８１に結合させている。このとき、操作体８４の操作棒８３は、図４に示すように、前もって段部１４の開口１６から外方に導出させておく。そして、操作棒８３が開口１６の他端側１６ｂに位置するときに、係止回動体８２の係止板８０が段部１４の短手方向を向き、操作棒８３が開口１６の一端側１６ａに位置するときに、係止回動体８２の係止板８０が段部１４の長手方向を向くように、係止回動体８２および操作体８４が結合されている。また、操作棒８３は、図３に示すように、蓋部９の平板部１３の外周縁１３ｅよりも内方に位置し、平板部１３から外方に突出しないように形成されている。  
【００６４】
また、補助係止体７９は、その係止回動体８２の係止板８０がライティングレール２のレール溝５３に挿入された状態で、操作体８４の操作棒８３が開口１６の一端側１６ａから他端側１６ｂの位置に回動操作される。この操作棒８３の回動に付随して、係止回動体８２が９０°回転し、係止板８０がレール溝５３内で９０°回転する。こうして、補助係止体７９は、係止板８０がライティングレール２の係止レール部５４，５４に係止して、ライティングレール２に取り付けられている。  
【００６５】
器体３は、上述したように、プラグ５および補助係止体７９の両方でライティングレール２に取り付けられている。これにより、照明装置１は、ライティングレール２に安定して取り付けられている。  
【００６６】
次に、本実施形態の作用について述べる。  
【００６７】
照明装置１をライティングレール２に取り付けるときには、器体３において、プラグ５の操作レバー６０が段部１４の開口１５の他端側１５ｂに位置するようにし、一対の給電部３９，３９および一対の係止部４０，４０が段部１４の長手方向を向くようにする。また、補助係止体７９の操作棒８３が段部１４の開口１６の一端側１６ａに位置するようにし、係止板８０が段部１４の長手方向を向くようにする。  
【００６８】
そして、図１０（a）に示すように、プラグ５の一対の給電部３９，３９および一対の係止部４０，４０と、補助係止体７９の係止板８０とをライティングレール２のレール溝５３に挿入し、プラグ５の端面３８ｃをライティングレール２の下面２ｂに当接させる。プラグ５のストッパー部４１は、本体部３８の他端側３８ｂにスライドし、その端面４１ｃが本体部３８の端面３８ｃと同一面状となる。ここで、器体３の蓋部９は、平板部１３の上面１３ａに段部１４を有して形成されているので、図１に示すように、ライティングレール２の下面２ｂと、平板部１３の上面１３ａとの間には、相応のスペース８８が形成されている。このスペース８８は、プラグ５の操作レバー６０および補助係止体７９の操作棒８３をそれぞれ人の指で回動操作させるのに支障のない空間となっている。すなわち、操作レバー６０および操作棒８３は、容易に移動操作できる。  
【００６９】
そして、プラグ５の操作レバー６０を段部１４の開口１５の他端側１５ｂから一端側１５ａに移動操作する。これにより、プラグ５が９０°回転し、図１０（ｂ）に示すように、一対の係止部４０，４０がライティングレール２の係止レール部５４，５４に係止し、一対の給電部３９，３９が導電レール部５５，５５に電気接続される。また、補助係止体７９の操作棒８３を段部１４の開口１６の一端側１６ａから他端側１６ｂに回動操作させる。これにより、補助係止体７９の係止板８０が係止レール部５４，５４に係止する。  
【００７０】
器体３は、蓋部９の段部１４の長手方向両端側１４ｃ，１４ｄにおいてプラグ５および補助係止体７９によってライティングレール２に取り付けられる。したがって、照明装置１は、安全かつ安定して、ライティングレール２に取り付けられる。  
【００７１】
そして、プラグ５のストッパー部４１は、一対の係止部４０，４０がライティングレール２の係止レール部５４，５４に係止するときには、ライティングレール２の
下面２ｂに当接しなくなりライティングレール２から押圧されなくなるので、ライティングレール２のレール溝５３に挿入して位置するようになる。これにより、プラグ５は、操作レバー６０に不所望に移動操作の力が加わったり、器体３に地震などの振動が加わっても、ストッパー部４１がレール溝５３の縁部に当接するので、回転しなくなり、回転しても微動となる。すなわち、プラグ５は、ライティングレール２に取り付けられた状態で、回転しなくなり、人為的ミスや振動等により不所望にライティングレール２から取り外れることが防止される。  
【００７２】
照明装置１をライティングレール２から取り外すときには、器体３において、プラグ５および補助係止体７９をライティングレール２に係止させなくする。補助係止体７９に対して、その操作棒８３を開口１６の他端側１６ｂから一端側１６ａに回動操作させる。これにより、補助係止体７９が９０°回転し、係止板８０が段部１４の長手方向を向いてライティングレール２の係止レール部５４，５４から取り外れる。  
【００７３】
また、プラグ５に対しては、まず、操作レバー６０を段部１４の上面１４ａ側から平板部１３の外面１３ａ側に押下操作する。この押下操作による力が回転体７から解除体６に伝達され、解除体６の係止爪５８がプラグ５のストッパー部４１を押圧する。ストッパー部４１は、本体部３８の他端側３８ｂにスライドし、一端側４１ａの端面４１ｃが本体部３８の一端側３８ａの端面３８ｃとほぼ同一面状となる。そして、操作レバー６０を開口１５の一端側１５ａから他端側１５ｂに移動操作する。プラグ５は、ストッパー部４１が係止爪５８で押圧された状態から弾性復帰力によりライティングレール２の下面２ｂに当接した状態で、９０°回転する。これにより、プラグ５は、図１０（ａ）に示すように、一対の給電部３９，３９および一対の係止部４０，４０が段部１４の長手方向を向いてライティングレール２から取り外される。  
【００７４】
そして、プラグ５がライティングレール２に取り付けられると、一対の給電部３９，３９がライティングレール２の導電レール部５５，５５に接触して電気接続されるので、器体３内に収納されている点灯装置２１は、プラグ５を介して外部電源を給電可能となる。そして、ライティングレール２に外部電源が投入されると、点灯装置２１は、動作して、所定の電力を装置本体４内のＬＥＤ２５に供給する。ＬＥＤ２５は、点灯して白色光を放射する。この白色光は、前面カバー２９で制光されて、筐体２６の開口２８から筐体２６の前方に出射する。  
【００７５】
装置本体４は、アーム３２の回動部３３が器体３の底部１０に対して回動され、装置本体４を連結している連結体３１がアーム３２に対して回動されることにより、筐体２６の開口２８が所望の方向に向けられる。したがって、ＬＥＤ２５から放射された白色光は、所望の方向に向かって照射可能である。  
【００７６】
そして、ＬＥＤ２５を調光させるには、器体３の側面８ｂ側に設けられている切換スイッチ２３を手動操作により所望の位置に移動（スライド）させる。器体３内に設けられた点灯装置２１は、切換スイッチ２３の停留位置に応じた電流（電力）をＬＥＤ２５に供給して、ＬＥＤ２５を調光点灯させる。ＬＥＤ２５から調光レベルに応じた白色光が放射される。切換スイッチ２３は、器体３の側面８ｂから幾分突出するように設けられているので、照明装置１がライティングレール２に取り付けられた状態でも容易に手動操作できる。  
【００７７】
本実施形態によれば、ライティングレール２に取り付けられるプラグ５が解除体６および回転体７と組み合わせて照明装置１の器体３に取り付けられるので、プラグ５の吊り下げ荷重以下の荷重を有する照明装置１に対して、電気用品安全法の技術基準に適合するプラグ５を汎用して使用可能であり、照明装置１（器体３）の機種毎に登録検査機関で技術基準適合性検査を受ける必要がなくなり、これにより、照明装置１を市場に迅速に提供できるとともに安価にできるという効果を有する。  
【００７８】
また、プラグ５が取り付けられる器体３の蓋部９は、平板部１３、平板部１３の外面１３ａの内方側に平板部１３と一体に設けられた平板状の段部１４および段部１４の側部１４ｅ側に設けられた矩形状の開口１５を有して形成され、プラグ５は、本体部３８の一端側３８ａの端面３８ｃが段部１４の外面１４ａから突出するように段部１４に取り付けられ、回転体７は、操作レバー６０が開口１５から平板部１３の外面１３ａ上に導出されて開口１５の一端側１５ａおよび他端側１５ｂの長手方向で移動操作されるとともに段部１４の外面１４ａ側から平板部１３の外面１３ａ側の方向に押下操作されるように設けられているので、操作レバー６０の移動操作および押下操作により、プラグ５をライティングレール２に容易に着脱できるという効果を有する。  
【００７９】
なお、本実施形態において、補助係止体７９は、設けなくてもよいものである。この場合、照明装置１は、プラグ５のみによりライティングレール２に取り付けられる。プラグ５は、単独でも照明装置１をライティングレール２に取り付けることができる。  
【００８０】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００８１】
１…照明装置、  ３…器体、  ４…装置本体、  ５…プラグ、  ６…解除体６…回転体、  ８…本体部、  ９…蓋部、  １０…底部、  １３…平板部、  １４…段部、  １５…開口、  ２１…点灯装置、  ２５…光源としてのＬＥＤ、  ４１…ストッパー部、  ６０…操作レバー
【図１】
2015088360.tif 000003
【図２】
2015088360.tif 000004
【図３】
2015088360.tif 000005
【図４】
2015088360.tif 000006
【図５】
2015088360.tif 000007
【図６】
2015088360.tif 000008
【図７】
2015088360.tif 000009
【図８】
2015088360.tif 000010
【図９】
2015088360.tif 000011
【図１０】
2015088360.tif 000012